(57)【要約】【課題】インターホンにおいて、子機からの呼出発生時に、親機に発信者情報が保存していないと着信履歴に残らず、折返し発信もすることができないため、少なくとも折返し着信を可能とする必要がある。【解決手段】子機からの呼出発生時に、発信側子機の情報として、返信可能時間を含めた発信者情報を呼出時に送信することにより、返信可能時間内に限って、親機から着信履歴を確認して折返し発信を行ない、子機と通話することを可能とする。【選択図】図１
2015082673.tif 000002
【特許請求の範囲】
【請求項１】
複数のインターホン子機と、インターホン親機と、を備えたインターホンシステムにおいて、
前記インターホン子機は、親機を呼び出す際に子機自らの設置位置の名称等の子機識別情報を送るものであって、
前記インターホン親機は、子機からの呼出があると、前記子機識別情報を親機ディスプレイに表示するとともに、呼出終了後に着信履歴とともに子機識別情報を一時的に保存する親機記憶部を備え、
前記親機記憶部の前記子機識別情報の保存容量には一定の上限値があり、上限値を超えて子機識別情報を保存しようとすると子機識別情報の古いものから順に削除する親機ＣＰＵを備えたことを特徴とするインターホンシステム。
【請求項２】
前記インターホン子機は、前記子機識別情報とともに、呼出先の親機に対して返信を受け付けることができる制限時間をあわせて通知することを特徴とする請求項１記載のインターホンシステム。
【発明の詳細な説明】
【技術分野】
【０００１】
本発明は、ＬＡＮ等の汎用ネットワークに接続され、特にインターホン親機において不特定のインターホン子機からの呼出に対して返信することができるインターホンシステムに関するものである。
【背景技術】
【０００２】
従来のインターホンシステムでは、例えば集合住宅等の閉鎖環境において複数のインターホンから呼び出しを受ける場合、中央制御装置が発信元からの呼出信号を受信し、呼出先への呼出を行なうとともに、着信履歴を記憶していた。この場合において、中央制御装置は、接続されている全ての部屋番号、あるいはインターホンのＩＤ番号を事前に登録している。
【先行技術文献】
【特許文献】
【０００３】
【特許文献１】特開２００４−２２９１８５号公報
【発明の概要】
【発明が解決しようとする課題】
【０００４】
しかし、特許文献１の方策では、閉鎖環境でないＬＡＮ接続等の不特定多数の子機から呼出が発生する可能性のあるインターホンシステムでは、発信元の情報が不足するために折返し発信ができないという問題が発生する。特に、交換機を使用しないインターホンシステムでは、当該発信元子機のＩＰアドレスが着信側親機の呼出リストに登録されていないと、セキュリティ上の問題から呼出履歴を記録することができず、当該子機に対する折返し発信を行なうこともできないばかりか、不在時に呼出があったことも通知することができなかった。
【０００５】
具体的には、故障や回線不良等で臨時にインターホン子機や通信回線を入れ替えたり、ＩＰアドレスを変更した際にこのような事態が発生する。
【課題を解決するための手段】
【０００６】
本発明は、上述の難点を解消するためになされたもので、インターホン子機は、発信側子機の情報として、機器名、設置位置等の子機識別情報を呼出時に送信するとともに、インターホン親機側では、子機からの呼出があると、子機識別情報を親機ディスプレイに表示し、さらに呼出終了後に着信履歴とともに子機識別情報を一時的に保存する親機記憶部を備え、親機記憶部の前記子機識別情報の保存容量の上限値を超えて子機識別情報を保存しようとすると子機識別情報の古いものから順に削除するものである。
【０００７】
また、本発明は、子機識別情報に返信可能時間を含めるものである。
【発明の効果】
【０００８】
本発明のインターホンシステムによれば、インターホン子機は子機識別情報を呼出時に送信し、インターホン親機は子機識別情報を親機ディスプレイに表示することによって呼出履歴への保存及び折返し発信を可能とするとともに、さらには一定容量の新しい子機識別情報のみを保存できるため、古い子機識別情報は順次消えていき、手動で消す作業が不要となる。
【０００９】
また、本発明のインターホンシステムによれば、子機識別情報に返信可能時間を含めることによって、一定時間のみ折返し呼出を行なうことができ、インターホン機器や通信回線の臨時変更を行なった後に再度元の状態に戻したとしても、臨時変更を完了した呼出元に誤って折返し呼出を行なうことを防ぐことができる。
【図面の簡単な説明】
【００１０】
【図１】図１は、本発明のインターホンシステムにおけるインターホン親機及びインターホン子機の具体的な構成を示すブロック図である。
【図２】図２は、本発明のインターホンシステムにおけるインターホン親機の親機ディスプレイにおける呼出履歴の表示内容を示す説明図である。
【発明を実施するための形態】
【００１１】
以下、本発明のインターホンシステムを適用した最良の実施の形態例について、図面を参照して説明する。図１は、本発明の屋外及び室内における一実施例によるインターホンシステムのブロック図であり、住戸外に設置され来訪者が住戸内に在室中の居住者を呼出して通話を行うインターホン子機１と、住戸内に設置され来訪者からの呼出しに応答した居住者が通話を行うインターホン親機２とを備えており、インターホン子機１とインターホン親機２とは、ＬＡＮ等の汎用ネットワークＬでそれぞれ接続されている。
【００１２】
インターホン子機１は、住戸玄関に居る来訪者が住戸内に在室中の居住者との通話を成立させるための送話音を収音する子機マイク１３と、受話音を放音する子機スピーカ１２と、インターホン子機１の全体の機能を制御する子機ＣＰＵ１１と、来訪者が呼出時に操作する呼出ボタン等の子機操作部１４と、来訪者の映像を撮像するカメラ１６と、インターホン子機１と汎用ネットワークＬとのインターフェースとなる子機通信ＩＦ１０と、予め登録された呼出先を選択するための呼出先親機情報や後述する子機識別情報、返信可能時間情報を保存する子機記憶部１７を備えている。
【００１３】
子機ＣＰＵ１１は、子機マイク１３に収音された送話音を増幅して汎用ネットワークＬに送出するとともに、インターホン親機２から汎用ネットワークＬを介して伝送されてくる受話音をなす音声信号を子機スピーカ１２に送出し、さらにはカメラ１６で撮像された映像を汎用ネットワークＬに送出し、子機操作部１４の操作をトリガとして呼出信号とともに子機記憶部１７に予め記憶された機器名、設置位置、ＩＰアドレス等の子機識別情報、及び、呼出を行なってから返信を受付る許容時間を登録した返信可能時間情報を汎用ネットワークＬに送出する機能を有している。
【００１４】
インターホン親機２は、予め登録された呼出先を選択するための呼出先子機情報や、子機操作部１４からの呼出信号とともに送信された子機識別情報、返信可能時間情報を保存する親機記憶部２６と、呼出音及びインターホン子機１から送信された送話音を放音する親機スピーカ２２と、カメラ１６で撮像された映像や、通話音量調整等の各種設定内容を表示する親機ディスプレイ２５と、住戸内に在室中の居住者が住戸玄関に居る来訪者との通話を成立させるための受話音を収音する親機マイク２３と、子機操作部１４からの呼出信号に応答して通話を開始するために操作する通話ボタン２４ａと、各種設定内容を設定するために親機ディスプレイ２５の前面に配置されたタッチパネル２４ｃと、インターホン親機２の全体の機能を制御する親機ＣＰＵ２１と、インターホン親機２と汎用ネットワークＬとのインターフェースとなる親機通信ＩＦ２０とを備えている。
【００１５】
親機ＣＰＵ２１は、親機マイク２３に収音された受話音を増幅して親機通信ＩＦ２０に送出するとともに、インターホン子機１から親機通信ＩＦ２０を介して伝送されてくる送話音をなす音声信号を親機スピーカ２２に送出し、さらにはカメラ１６で撮像された映像を親機ディスプレイ２５に送出し、タッチパネル２４ｃの操作により任意のインターホン子機１呼を選局して呼び出しを行ない、また、タッチパネル２４ｃの操作により親機ディスプレイ２５に着信履歴を表示する機能を有している。
【実施例１】
【００１６】
次に、このように構成された本発明の一実施例によるインターホンシステムの動作について説明する。
【００１７】
なお、子機識別情報、返信可能時間情報及び呼出先親機情報の登録には、インターホン子機１に直接接続された、あるいは汎用ネットワークＬを介して接続された図示しない設定用端末を用いて予め登録されている。また、呼出先子機情報の登録にも、タッチパネル２４ｃのほか、インターホン子機１と同様に図示しない設定用端末を用いて登録されている。ここでは、子機識別情報として「設置位置：臨時出入口」と「ＩＰアドレス：１７２．１６．９９．１」、返信可能時間情報として「１週間」が予め登録されているものとする。また、ここでは、インターホン親機２の親機記憶部２６には、図示されているインターホン子機１の呼出先子機情報が登録されていないが、インターホン子機１の子機記憶部１７には、図示されているインターホン親機２の呼出先親機情報が登録されている例を挙げて説明を行なう。
【００１８】
図１において、住戸玄関に居る来訪者によりインターホン子機１の子機操作部１４が操作されると、子機操作部１４の操作を検知した子機ＣＰＵ１１は、子機記憶部１７から子機識別情報及び返信可能時間情報を読み出し、呼出信号とともにに送出する。呼出信号は、子機通信ＩＦ１０、汎用ネットワークＬ、親機通信ＩＦ２０を介して親機ＣＰＵ２１に到達する。さらに、子機ＣＰＵ１１は、カメラ１６に撮像開始を指示し、カメラ１６により撮像された住戸玄関近傍の映像信号は、呼出信号と同様に送出される。
【００１９】
呼出信号を受信した親機ＣＰＵ２１は、呼出音を親機スピーカ２２に送信し、呼出音が放音される。また、映像信号を受信した親機ＣＰＵ２１は、親機ディスプレイ２５に映像信号を送信することにより、親機ディスプレイ２５には住戸玄関近傍の映像が表示される。さらに、子機識別情報を受信した親機ＣＰＵ２１は、親機ディスプレイ２５に映像信号とともに子機識別情報をを送信することにより、親機ディスプレイ２５には住戸玄関近傍の映像に重畳して機器名、設置位置等の子機識別情報が表示される。
【００２０】
住戸内に居住者が在室中であれば、通話ボタン２４ａの操作により、親機ＣＰＵ２１は、親機マイク２３を能動とするとともに、子機ＣＰＵ１１に子機マイク１３、子機スピーカ１２を能動とするよう指示し、インターホン子機１とインターホン親機２の双方向通話が可能となるが、居住者が不在である場合には、親機ＣＰＵ２１は呼出音の放音及び映像信号、子機識別情報の表示を停止し、図示しない計時部を用いて親機記憶部２６に呼出日時、子機識別情報、返信可能時間情報、カメラ１６から受信した映像信号を呼出履歴として保存する。なお、呼出履歴を保存するメモリエリアは、例えば５０件分しか保存できないため、呼出履歴が５０件を超えた場合には、保存してある呼出履歴のうち最も古いものを削除する。
【００２１】
不在であった居住者が帰宅して、タッチパネル２４ｃを操作すると、親機ＣＰＵ２１は、親機記憶部２６に保存された呼出履歴のうち、最新のものを親機ディスプレイ２５に表示する。この呼出履歴の表示は、来訪者によるタッチパネル２４ｃの操作によって順次古いもの、新しいものへと表示を切り替えることができる。また、呼出履歴として表示している子機が呼出先子機情報に登録されていない場合には、図２（ｂ）に示すように呼出履歴に含まれている呼出日時、子機識別情報、返信可能時間情報、カメラ１６から受信した映像信号を表示する。なお、返信時間情報に記載されている返信時間が実際の時間を超過している場合には、折返し呼び出しができない呼出履歴として画面の色を変える等の識別表示を行なうこともできる。呼出履歴として表示している子機が呼出先子機情報に登録されている場合には、呼出履歴に含まれている返信可能時間情報は意味を持たないため非表示となり、図２（ａ）に示すように当該呼出先子機情報を含むその他の情報を親機ディスプレイ２５に表示する。
【００２２】
居住者は、呼出履歴を確認し、当該呼出が臨時出入口からのものであることを認識し、当該インターホン子機１に対して折返し呼出を行なおうとする場合には、呼出履歴を表示している状態で通話ボタン２４ａを操作すると、通話ボタン２４ａの操作を検知した親機ＣＰＵ２１は、親機記憶部２６に保存された呼出履歴の中から、返信可能時間情報を読み出し、返信可能時間の範囲内であることを認識する。さらに呼出履歴の中から、子機識別情報に含まれる「ＩＰアドレス：１７２．１６．９９．１」を読み出し、当該ＩＰアドレスに対して呼出信号を送信することによって、インターホン子機１との通話路を確立し、通話を行なうことができる。
【産業上の利用可能性】
【００２３】
なお、本実施例ではインターホン子機１が返信可能時間情報を送信する例を示したが、これに限らず、返信可能時間情報をインターホン子機１、インターホン親機２ともに使用しない例も好適である。この場合には、呼出履歴が残っている限りは時間無制限で折返し呼出を行なおうとすることができるが、呼出履歴の保存上限件数に達した時点で呼び出し履歴が消去されるため、ある程度の期間が経過した後には折返し呼出を抑制することができる。
【００２４】
また、本実施例ではインターホン子機１にカメラ１６を備えていたが、カメラ１６を備えないインターホン子機１でも同様の効果を奏する。なお、インターホン子機１にカメラ１６を備えない場合には、親機記憶部２６に映像信号を保存しないことは言うまでもない。
【符号の説明】
【００２５】
１                インターホン子機
２                インターホン親機
２１              親機ＣＰＵ
２６              記憶部（親機記憶部）
２５              親機ディスプレイ
【図１】
2015082673.tif 000003
【図２】
2015082673.tif 000004